(57)【要約】【課題】作業性の向上と視認性の向上の両方を同時に達成する。【解決手段】本発明に係る表示画面制御装置１は、表示画面７にデータを表示するデータ表示手段１２と、データ表示手段１２により表示画面７に表示されたデータの拡大倍率を設定する倍率設定手段１３と、倍率設定手段１３により設定された拡大倍率にしたがって、前記データを外部の表示画面３に拡大して表示するデータ拡大表示手段１６とを備えていることを特徴とする。【選択図】図２
2007178495.tif 000002
【特許請求の範囲】
【請求項１】
表示画面にデータを表示するデータ表示手段と、
該データ表示手段により前記表示画面に表示されたデータの拡大倍率を設定する倍率設定手段と、
該倍率設定手段により設定された拡大倍率に従って、前記データを外部の表示画面に拡大して表示するデータ拡大表示手段と、
を備えていることを特徴とする表示画面制御装置。
【請求項２】
前記倍率設定手段により設定された拡大倍率と前記外部の表示画面のサイズとに基づき拡大表示領域のサイズを決定し、該拡大表示領域を前記表示画面の任意の位置に表示する拡大表示領域表示手段をさらに備えている請求項１に記載の表示画面制御装置。
【請求項３】
前記拡大表示領域表示手段は、前記倍率設定手段により設定された拡大倍率を前記表示画面に表示する請求項２に記載の表示画面制御装置。
【請求項４】
データ表示手段が表示画面にデータを表示するステップと、
前記データ表示手段により前記表示画面に表示されたデータの拡大倍率を倍率設定手段が設定するステップと、
前記倍率設定手段により設定された拡大倍率に従って、データ拡大表示手段が前記データを外部の表示画面に拡大して表示するステップと、
をコンピュータに実行させることを特徴とする表示画面制御プログラム。
【請求項５】
拡大表示領域表示手段が、前記倍率設定手段により設定された拡大倍率と前記外部の表示画面のサイズとに基づき拡大表示領域のサイズを決定し、該拡大表示領域を前記表示画面の任意の位置に表示するステップをさらに備えている請求項４に記載の表示画面制御プログラム。
【発明の詳細な説明】
【技術分野】
【０００１】
本発明は、パーソナルコンピュータ等の表示画面に表示されたデータを外部の表示画面に所定の倍率で拡大して表示するための表示画面制御装置及び表示画面制御プログラムに関する。
【背景技術】
【０００２】
近年、商品の紹介や講演などのプレゼンテーションを行う際に、聞き手の注意を喚起する目的のため、パーソナルコンピュータ（以下「パソコン」と言う。）にインストールされたアプリケーションソフトにより作成した図表や文章等のデータを、パソコンに接続したプロジェクタを使用してスクリーン等の表示画面に表示する手法が採用されることがある。
【０００３】
しかしながら、この場合、パソコンの表示画面に表示されたデータがそのままの状態でプロジェクタの表示画面に表示されるため、パソコンの操作者にとっては快適な表示サイズであったとしても、プロジェクタの表示画面を見る者にとっては小さ過ぎて見難かったり、或いは、反対に、プロジェクタの表示画面を見る者に合わせて表示サイズを大きくすると、パソコンの操作者が操作し難くなったりするといった問題があった。すなわち、パソコンを操作する者の作業性の向上とプロジェクタの表示画面を見る者の視認性の向上の両方を同時に達成することは困難であった。
【０００４】
このような背景の下、最近では、パソコンの表示画面に表示されたデータを外部の表示画面に拡大して表示する表示画面制御装置が提案されており、この表示画面制御装置では、パソコンの表示画面に表示されたウィンドウを選択すると、該ウィンドウのデータが外部の表示装置の画面サイズに合わせて拡大されて表示されるようになっている（例えば、特許文献１参照）。
【特許文献１】特開２０００−３３９１３０号公報
【発明の開示】
【発明が解決しようとする課題】
【０００５】
しかしながら、上記した特許文献１に記載された表示画面制御装置は、パソコンの表示画面に表示された複数のウィンドウから特定のウィンドウを選択し、該選択されたウィンドウを外部の表示装置の画面サイズに合わせてウィンドウ単位で拡大して表示するものであって、ウィンドウ内のデータの一部分を任意に拡大して表示するものではなかった。そのため、パソコンを操作する者の作業性の向上とプロジェクタの表示画面を見る者の視認性の向上の両方を同時に達成することができないといった問題は、依然として、未解決のままであった。
【０００６】
本発明は、上記した課題を解決すべくなされたものであり、作業性の向上と視認性の向上の両方を同時に達成することのできる表示画面制御装置及び表示画面表示プログラムを提供することを目的とするものである。
【課題を解決するための手段】
【０００７】
上記した目的を達成するため、本発明に係る表示画面制御装置は、表示画面にデータを表示するデータ表示手段と、該データ表示手段により前記表示画面に表示されたデータの拡大倍率を設定する倍率設定手段と、該倍率設定手段により設定された拡大倍率に従って、前記データを外部の表示画面に拡大して表示するデータ拡大表示手段とを備えていることを特徴とする。
【０００８】
そして、本発明に係る表示画面制御装置は、前記倍率設定手段により設定された拡大倍率と前記外部の表示画面のサイズとに基づき拡大表示領域のサイズを決定し、該拡大表示領域を前記表示画面の任意の位置に表示する拡大表示領域表示手段をさらに備えていてもよい。
【０００９】
また、前記拡大表示領域表示手段は、前記倍率設定手段により設定された拡大倍率を前記表示画面に表示してもよい。
【００１０】
また、本発明に係る表示画面制御プログラムは、データ表示手段が表示画面にデータを表示するステップと、前記データ表示手段により前記表示画面に表示されたデータの拡大倍率を倍率設定手段が設定するステップと、前記倍率設定手段により設定された拡大倍率に従って、データ拡大表示手段が前記データを外部の表示画面に拡大して表示するステップとをコンピュータに実行させることを特徴とする。
【００１１】
そして、本発明に係る表示画面制御プログラムは、拡大表示領域表示手段が、前記倍率設定手段により設定された拡大倍率と前記外部の表示画面のサイズとに基づき拡大表示領域のサイズを決定し、該拡大表示領域を前記表示画面の任意の位置に表示するステップをさらに備えていてもよい。
【発明の効果】
【００１２】
本発明によれば、表示画面に表示されたデータを、倍率設定手段により設定された任意の拡大倍率に従って外部の表示画面に拡大して表示することができるため、作業性の向上と視認性の向上の両方を同時に達成することができる。
【００１３】
また、拡大表示領域表示手段が拡大倍率と外部の表示画面のサイズとに基づき拡大表示領域のサイズを決定し、該拡大表示領域を表示画面の任意の位置に表示するようになっている場合や、表示画面に拡大倍率が表示されるようになっている場合には、操作性がさらに高まり、作業性の向上を一段と図ることができる等、種々の優れた効果を得ることができる。
【発明を実施するための最良の形態】
【００１４】
以下、図１〜図３を参照しつつ、本発明の実施の形態について説明する。ここで、図１は本実施の形態におけるコンピュータシステムのハードウェアの構成を示すブロック図、図２は本実施の形態に係る表示画面制御装置の構成及びその動作を示すブロック図、図３は本実施の形態に係る表示画面制御装置の動作を示す説明図である。
【００１５】
本実施の形態に係る表示画面制御装置１は、パソコン２に画像処理プログラムをインストールすることにより構成され、このパソコン２はプロジェクタ（図示省略）を介してプロジェクタ用表示画面３に接続されている。そして、このパソコン２は、図１に示されているように、画像処理装置１の各構成手段を制御するためのＣＰＵ（Central Processing Unit）４と、各種データやプログラムを一時的に記憶するためのメモリ５と、ＣＰＵ４が実行するプログラムを格納するためのハードディスク６と、液晶表示装置等の表示画面７と、マウスやキーボード等の入力装置８とが、それぞれバス９を介して接続されて構成されている。
【００１６】
図２に示されているように、前記表示画像制御プログラムは、パソコン２の表示画面７を制御するＰＣ表示画面制御部１０と、プロジェクタ用表示画面３を制御するプロジェクタ表示画面制御部１１とから構成されている。そして、ＰＣ表示画面制御部１０には、表示画面７にデータを表示するデータ表示部１２と、データ表示部１２により表示画面７に表示されたデータの拡大倍率を設定する倍率設定部１３と、倍率設定部１３により設定された拡大倍率とプロジェクタ用表示画面３の画面サイズとに基づき拡大表示領域１４のサイズを決定し、該拡大表示領域を表示画面７の任意の位置に表示する拡大表示領域表示部１５とが設けられており、また、プロジェクタ表示画面制御部１１には、倍率設定部１３により設定された拡大倍率に従って前記データを外部のプロジェクタ用表示画面３に拡大して表示するデータ拡大表示部１６が設けられている。
【００１７】
次に、本発明の実施の形態に係る表示画面制御装置の動作について説明する。
【００１８】
先ず、パソコン２の操作者が入力装置８により所定の操作を行うと、ＰＣ表示画面制御部１０のデータ表示部１２は、パソコン２にインストールされたアプリケーションソフトにより作成された図表や文章等のデータを、ハードディスク５からメモリ５に展開し、パソコン２の表示画面７に表示する。
【００１９】
次いで、操作者が入力装置８によりクリック操作する等、パソコン２の表示画面７に表示されたデータの所定箇所を指定する操作を行うと、拡大表示領域表示部１５は、パソコン２の表示画面７に、前記指定された箇所を中心として所定の大きさの矩形枠状の拡大表示領域１４を表示すると共に、倍率設定部１３により設定された拡大倍率を数値表示する。この場合、拡大表示領域１４の枠の大きさは、拡大表示領域表示部１５が、プロジェクタ用表示画面３の画面サイズと倍率設定部１３によって設定された拡大倍率とから算出して決定する。なお、この拡大倍率の設定値は、パソコン２の操作者が入力装置８から直接、拡大倍率を数値入力したり、或いは、表示画面７上において拡大表示領域１４の枠を操作者がクリックアンドドラック操作を行って拡大表示領域１４の枠を設定し、さらにその枠の大きさを変えたりすることにより、任意に設定又は変更することができる。さらに、拡大表示領域１４の位置は、表示画面７上において拡大表示領域１４の枠を操作者がクリックアンドドロップ操作等を行ったりすることにより、表示画面７上の任意の位置に移動することもできる。
【００２０】
そして、このように拡大倍率が設定されると共に拡大表示領域１４が表示画面７上に表示されると、プロジェクタ表示画面制御部１１のデータ拡大表示部１６は、拡大表示領域１４に囲まれた部分のデータを、メモリ５に展開し、前記拡大倍率に従って、プロジェクタ用表示画面３に拡大して表示する。
【００２１】
上記したように、本発明の実施の形態によれば、パソコン２の操作者が、表示画面７上にパソコン２の操作をし易いようにデータを表示させながら、そのデータの拡大表示領域１４や拡大倍率を任意に指定し、プロジェクタ用表示画面３に拡大して表示することができるため、パソコン２を操作する者の作業性の向上とプロジェクタ用表示画面３を見る者の視認性の向上の両方を同時に達成することができる。
【００２２】
なお、上記した実施の形態においては、前記データを拡大して表示する表示画面としてプロジェクタ用表示画面３を使用した場合について説明したが、本発明は、他の外部の表示画面に前記データを拡大して表示する場合にも適用可能であることは言う迄もない。
【図面の簡単な説明】
【００２３】
【図１】本発明の実施の形態におけるコンピュータシステムのハードウェアの構成を示すブロック図である。
【図２】本発明の実施の形態に係る表示画面制御装置の構成及びその動作を示すブロック図である。
【図３】本発明の実施の形態に係る表示画面制御装置の動作を示す説明図である。
【符号の説明】
【００２４】
１          表示画面制御装置
２          パソコン
３          プロジェクタ用表示画面
７          表示画面
１２        データ表示部
１３        倍率設定部
１４        拡大表示領域
１５        拡大領域表示部
１６        データ拡大表示部
【図１】
2007178495.tif 000003
【図２】
2007178495.tif 000004
【図３】
2007178495.tif 000005